(57)【要約】【課題】プラグ本体に対してキャップとの螺合固着に際して、キャップの開口端近くに小孔を設け、プラグ本体のネジ部の前方に設けられる鍔部に配設される係止ピンと係入できる簡単な係止構造を付与させて、キャップのプラグ本体への緊締の緩みを発生しないようにした緩み止め機構付導線端末プラグの提供。【解決手段】導線コードｂと接続されるプラグ本体Ａと、このプラグ本体Ａの導線コード接続箇所をプラグ本体Ａのネジ部ｄに螺合固定できる円筒状のキャップＣとより成る導線コード端末プラグにおいて、プラグ本体Ａのネジ部ｂに螺合できる円筒状のキャップＣの開口端近くに小孔１６を設け、プラグ本体Ａのネジ部ｂの前方に設けられる鍔部５の外周に配設される出没自在の係止ピンを係入できるようにして成ることを特徴とする緩み止め機構付導線端末プラグ。【選択図】図１
2010287327.tif 000002
【特許請求の範囲】
【請求項１】
導線コードと接続されるプラグ本体と、このプラグ本体の導線コード接続箇所をプラグ本体のネジ部に螺合固定できる円筒状のキャップとより成る導線コード端末プラグにおいて、プラグ本体のネジ部に螺合できる円筒状のキャップの開口端近くに小孔を設け、プラグ本体のネジ部の前方に設けられる鍔部の外周に配設される出没自在の係止ピンを係入できるようにして成ることを特徴とする緩み止め機構付導線端末プラグ。
【請求項２】
係止ピンは、鍔付ピンと、鍔付ピンを押圧するコイルバネを内蔵した円筒体を、プラグ本体の鍔部の周面に穿たれた凹処内に埋設させて成ることを特徴とする請求項１記載の緩み止め機構付導線端末プラグ。
【発明の詳細な説明】
【技術分野】
【０００１】
本発明は、各種音楽機器などの電気接続に広く用いられる緩み止め機構付導線端末プラグに関する。
【背景技術】
【０００２】
一般に、スピーカを用いてギターなどの楽器を演奏する場合、楽器とスピーカとの間に、導線コードの両端に設けた導線端末プラグを接続して電気的な接続を行っている（例えば、特許文献１参照）。
【０００３】
ここに、図５を参照にして従来例の代表例を説明する。
【０００４】
図において、ａはプラグ本体、ｂは前記プラグ本体ａに接続される導線コード、ｃは前記プラグ本体ａの基部に設けられるネジ部ｄと螺合される円筒状のキャップを示す。
【０００５】
ところで、プラグ本体ａは、先端係合部１と絶縁環２を介して筒管部３が形成され、前記先端係合部１と通ずる芯杆４を前記筒管部３内に挿通させ、前記筒管部３の基部に鍔部５を設けて前記ネジ部ｄが形成されている。
【０００６】
そして、前記ネジ部ｄの後端には、導線コードｂを挟持する挟持爪６を備えた一方の端子板７を設け、併せて絶縁板８を介して、他方の端子板９を設けて導線コードｂを構成する二本の導線１０，１１をハンダ付けして使用できるようにしている。
【０００７】
すなわち、導線コードｂの一方の導線１０は、前記先端係合部１と導通され、また他方の導線１１は筒管部３と導通されることとなる。なお、円筒状のキャップｃの内側には導線コードｂの二本の導線１０，１１の不用意な接触を防止するためのゴムなどの絶縁筒体１２を介在させるものである。
【０００８】
叙上の構成において、プラグ本体ａのネジ部ｄに円筒状のキャップｃを螺合させてプラグ本体ａの基部に円筒状のキャップｃを確固に螺合固定させることができる。
【先行技術文献】
【特許文献】
【０００９】
【特許文献１】特開２００８−２９４４７５号公報
【発明の概要】
【発明が解決しようとする課題】
【００１０】
上述のプラグ，特に楽器用プラグにあっては、ギター等の楽器にプラグ本体ａの先端係合部１を接続してあるが、演奏時に楽器が激しく振り回されたり、コンサート終了後の撤収作業時において、かなり激しく乱雑に取り扱われると、キャップｃとプラグ本体ａのネジ部ｄとの螺合箇所が緩んで、密着性が損なわれるという問題が生ずる。
【００１１】
このような状態を看過すると、演奏時にキャップの緩みによりノイズが発生する不都合があり、またネジ部ｄを接着剤などで固着するなどの対策をとることも考えられるが、導線コードの断線の修理ができなくなり、使い捨てとなるなどの障害も生ずる。
【００１２】
本発明は叙上の点に着目して成されたもので、プラグ本体に対してキャップとの螺合固着に際して、キャップの開口端近くに小孔を設け、プラグ本体のネジ部の前方に設けられる鍔部に配設される係止ピンと係入できる簡単な係止構造を付与させて、キャップのプラグ本体への緊締の緩みを発生しないようにした緩み止め機構付導線端末プラグを提供することを目的とする。
【課題を解決するための手段】
【００１３】
本発明は、以下の構成を備えることにより上記課題を解決できる。
【００１４】
（１）導線コードと接続されるプラグ本体と、このプラグ本体の導線コード接続箇所をプラグ本体のネジ部に螺合固定できる円筒状のキャップとより成る導線コード端末プラグにおいて、プラグ本体のネジ部に螺合できる円筒状のキャップの開口端近くに小孔を設け、プラグ本体のネジ部の前方に設けられる鍔部の外周に配設される出没自在の係止ピンを係入できるようにして成ることを特徴とする緩み止め機構付導線端末プラグ。
【００１５】
（２）係止ピンは、鍔付ピンと、鍔付ピンを押圧するコイルバネを内蔵した円筒体を、プラグ本体の鍔部の周面に穿たれた凹処内に埋設させて成ることを特徴とする前記（１）記載の緩み止め機構付導線端末プラグ。
【発明の効果】
【００１６】
本発明によれば、プラグ本体のネジ部に螺合できる円筒状のキャップの開口端近くに小孔を設けてあり、プラグ本体のネジ部の前方に設けられた鍔部の外周に設けられる係止ピンと係合できる構成を備えているので、螺合過程において円筒状キャップの小孔が係止ピンと係合し、ロックされて緊締状態が確実となる。
【００１７】
したがって、プラグ本体と接続される導線コードの他端のギターなどの楽器を激しく振動させて演奏しても、導線コードを介してキャップがプラグ本体より緩む虞れなく、安心して激しい演奏を行うことができる。
【００１８】
また万一、導線コードとの接続状態が不良になった場合とか、他の導線コードとの接続を交換する場合などでは、小孔に臨まれる係止ピンを押下して小孔との係合を外してネジ部との螺合状態を反対方向に捻回させて、キャップをプラグ本体より外すことができる。
【００１９】
さらに、係止ピンは小孔に対して出没自在であるので、キャップとの係合の場合は、開口端で係止ピンを押下しながら螺合を続け、一端係止ピンが小孔に係入してロックした後は、キャップを反対方向に捻回しても緩ませることはできないので、係止状態を保持し、不自然に緩むことなく外れない。
【図面の簡単な説明】
【００２０】
【図１】本発明の一実施例を示す緩み止め機構付導線端末プラグの一部切欠側面図で、（ａ）はプラグ本体とキャップとが非螺合の場合、（ｂ）はプラグ本体とキャップとが螺合時の場合を示す。なお、（ｂ）は円内の部分拡大断面図を附記する。
【図２】プラグ本体の鍔部の外周に配設される係止ピンの一実施例を示す断面図
【図３】従来例の代表例を示す一部を断面で示す側面図で、（ａ）はプラグ本体とキャップとの非螺合時、（ｂ）は螺合過程時、（ｃ）は螺合緊締時
【発明を実施するための形態】
【００２１】
以下本発明を実施するための最良の形態を、実施例により詳しく説明する。
【実施例】
【００２２】
各図において、Ａはプラグ本体であって、１３は基部の鍔部５の外周に設けた小凹処であり、プラグ本体Ａを構成する他の部分は従来例と同一であり、同一符号を付して説明の詳細を省く。
【００２３】
また、Ｃは前記プラグ本体Ａと結合される円筒状のキャップを示し、１４は前記プラグ本体Ａの小凹処１３内に装着される係止ピンであって、前記円筒状のキャップＣの開口端１５近くに穿った小孔１６と係入してロックできる。
【００２４】
ところで、前記係止ピン１４は、図２に示すように、ピン自体は先端が球面状αで基端に鍔部１７を備え、前記鍔部１７と係止する開口部１８を有する円筒体１９内に摺動自在に配設し、さらにコイルバネ２０を挿入し、円筒体１９をプラグ本体Ａの小凹処１３内に挿入またはネジ込みで係入係止させるものである。
【００２５】
この円筒体１９の小凹処１３内への係止によりコイルバネ２０のバネ弾性により円筒体１９の開口部１８より突出するピンは弾性的に出没できる働きを呈する。
【００２６】
叙上の構成に成るので、プラグ本体Ａに対して、キャップＣをネジ部ｂに螺合させて緊締を始めて最終段階に達すると、キャップＣの開口端１５が鍔部５の外周に至り、係止ピン１４の球面状αをコイルバネ２０に抗して押し下げ、ついには係止ピン１４は開口端１５近くの小孔１６内に押し上げられ、コイルバネ２０の弾撥力を得て速やかに係入し、茲に係止ロックされる。
【００２７】
一旦、係入後は、係止ピン１４は小孔１６内の係合状態を確保しているので、通常の状態での不自然な緩みや係合の外れを全く生ずる虞れはない。
【００２８】
外す必要のある場合は、小孔１６に臨まれる係止ピン１４をコイルバネ２０に抗して、工具などを用いて球面状αの頭部を押下させ、係合を外してキャップＣを反対方向に捻回させてネジ部ｂとの緊締を緩めることにより外すことができる。
【００２９】
このように、導線コードを接続したしプラグ本体に対して、導線コードの接続箇所に被覆できるキャップＣは、一旦、係合した場合、不自然には緩むことがないので、ギターなどの楽器の激しい振動があっても、絶対にキャップＣがプラグ本体Ａより外れる虞れはない。
【符号の説明】
【００３０】
α    球面状
Ａ，ａ  プラグ本体
ｂ    導線コード
Ｃ，ｃ  キャップ
ｄ    ネジ部
１    先端係合部
２    絶縁環
３    筒管部
４    芯杆
５    鍔部
６    挟持爪
７，９  端子板
８    絶縁板
１０，１１  導線
１２  絶縁筒体
１３  小凹処
１４  係止ピン
１５  開口端
１６  小孔
１７  鍔部
１８  開口部
１９  円筒体
２０  コイルバネ
【図１】
2010287327.tif 000003
【図２】
2010287327.tif 000004
【図３】
2010287327.tif 000005